(57)【要約】【課題】  開口を通過する柔軟性を有するホースの開口の通過部分を支持し、ホースが開口の角に当って折れ曲がるのを防止する。【解決手段】  開口２２を屈曲した状態で通過する柔軟性を有するホース２７を支持するホース支持装置１であって、開口２２の内外に亘るように設けられる湾曲変形可能な本体２と、本体２を開口２２の縁部に取り付ける取付金具５とを備え、本体２により、ホース２７の開口２２の通過部分を支持する。本体２でホース２７の開口２２を通過する部分を支持することにより、ホース２７が開口２２の角に当って折れ曲がるのを防止できる。【選択図】  図１
2013151966.tif 000002
【特許請求の範囲】
【請求項１】
開口を屈曲した状態で通過する柔軟性を有するホースを支持するホース支持装置であって、
前記開口の内外に亘るように設けられる湾曲変形可能な本体と、該本体を前記開口の縁部に取り付ける取付金具とを備え、
前記本体により、前記ホースの前記開口の通過部分を支持するように構成したことを特徴とするホース支持装置。
【請求項２】
前記本体は、前記取付金具に回転可能に取付けられていることを特徴とする請求項１に記載のホース支持装置。
【請求項３】
前記本体と前記開口との間には、前記本体の湾曲角度を調整する湾曲角度調整部材が設けられている請求項１又は２に記載のホース支持装置。
【請求項４】
前記本体と前記開口の縁部との間には、前記本体の高さを調整する高さ調整部材が設けられている請求項１〜３の何れか１項に記載のホース支持装置。
【請求項５】
前記本体は、半管状に形成され、該本体の内面側で前記ホースが支持されていることを特徴とする請求項１〜４の何れか１項に記載のホース支持装置。
【請求項６】
前記本体には、前記本体の内面側に前記ホースを支持した状態に固定する固定部材が設けられていることを特徴とする請求項５に記載のホース支持装置。
【発明の詳細な説明】
【技術分野】
【０００１】
本発明は、ホース支持装置に関し、例えば、ポンプの吐出口に接続される柔軟性を有する排水ホース等のホースを支持するのに有効なホース支持装置に関する。
【背景技術】
【０００２】
従来、例えば、排水対象箇所（例えば、共同溝）の内部に溜った水を排水させるために、開口（例えば、マンホール）を通じて排水対象箇所の内部にポンプ（例えば、水中ポンプ）を設置し、ポンプの吐出口に接続した排水ホースを開口を通じて地上に引き出し、ポンプを作動させることにより、排水対象箇所の内部に溜った水を汲み上げ、排水ホースを通じて地上に排水させることが行われている。
【０００３】
このような排水作業に用いられる排水ホースは、地形に馴染み易くするために柔軟性を有する材料（塩化ビニル等）から形成されているため、排水対象箇所の内部から開口を通じて地上に容易に引き出すことができる反面、開口の角に当ることによりその部分が約９０度に折れ曲がってしまう。
【０００４】
このため、ポンプを作動させて、排水対象箇所の内部から水を汲み上げて排水させる場合に、排水ホースの折れ曲がった部分が水の重みで潰れた状態となり、その潰れた部分が抵抗となるために、ポンプの本来の性能に見合った吐出量（排水量）が得られなくなり、排水作業の効率が非常に悪くなる。また、排水ホースが折れ曲がった状態でポンプの運転を続けることにより、ポンプに過大な負荷がかかり、ポンプの故障の原因となる。さらに、排水ホースが開口の角に接触することにより、排水ホースに傷が生じ、排水ホースの寿命が低下してしまう。
【０００５】
上記のような問題に対処するため、特許文献１に記載のように、排水ホースが当る角の部分に半筒状のガイドを設置して、このガイドの上部に排水ホースを通すことにより排水ホースの変形を防止する方法や、特許文献２に記載のように、マンホールの開口に格子状の蓋を取り付けて、蓋の通孔内に排水ホースを通すことにより、排水ホースの変形を防止する方法等を採用することが考えられる。
【０００６】
しかし、特許文献１、２に記載の方法を採用しても、排水ホースを開口から鉛直方向に引き出して、水平方向に向きを変えるような場合には、排水ホースの開口の角に対応する部分が折れ曲がって潰れるのを完全に防止することはできない。
【先行技術文献】
【特許文献】
【０００７】
【特許文献１】特開２００１−１８２０３０号公報
【特許文献２】特開２００６−１９４０５５号公報
【発明の概要】
【発明が解決しようとする課題】
【０００８】
本発明は、上記のような従来の問題に鑑みなされたものであって、開口を通じてホースを引き出す場合に、開口の角にホースが当たって折れ曲がるのを防止することができるホース支持装置を提供することを目的とする。
【課題を解決するための手段】
【０００９】
上記のような課題を解決するために、本発明は、以下のような手段を採用している。
すなわち、本発明は、開口を屈曲した状態で通過する柔軟性を有するホースを支持するホース支持装置であって、前記開口の内外に亘るように設けられる湾曲変形可能な本体と、該本体を前記開口の縁部に取り付ける取付金具とを備え、前記本体により、前記ホースの前記開口の通過部分を支持するように構成したことを特徴とする。
【００１０】
本発明のホース支持装置によれば、本体を湾曲変形させた状態で開口の内外に亘るように設け、本体でホースの開口の通過部分を支持することにより、ホースが開口の角に当って折れ曲がるのを防止できる。
従って、例えば、開口の内部からポンプによって水を汲み上げ、開口の外部に排水させるような場合に、ホースが開口の角に当たって折れ曲がって潰れるようことがないので、ポンプの本来の性能を発揮することができ、排水の効率を高めることができる。
【００１１】
また、本発明において、前記本体は、前記取付金具に回転可能に取付けられていることとしてもよい。
【００１２】
本発明のホース支持装置によれば、取付金具に対して本体を回転させることにより、本体に支持されるホースの向きを様々な方向に変えることができる。
【００１３】
さらに、本発明において、前記本体と前記開口との間には、前記本体の湾曲角度を調整する湾曲角度調整部材が設けられていることとしてもよい。
【００１４】
本発明のホース支持装置によれば、開口の形状、大きさ等に応じて、湾曲角度調整部材によって本体の湾曲角度を調整することにより、各種の形状、大きさ等の開口を通過するホースの部分を支持することができる。
【００１５】
さらに、本発明において、前記本体と前記開口の縁部との間には、前記本体の高さを調整する高さ調整部材が設けられていることとしてもよい。
【００１６】
本発明のホース支持装置によれば、高さ調整部材によって本体の高さを調整することにより、開口の外部に段差があるような場合、段差を避けてホースを引き出すことができるので、段差によってホースが折れ曲がるのを防止できる。
【００１７】
さらに、本発明において、前記本体は、半管状に形成され、該本体の内面側で前記ホースが支持されていることとしてもよい。
【００１８】
本発明のホース支持装置によれば、半管状の本体の内面側でホースを安定して支持することができる。
【００１９】
さらに、本発明において、前記本体には、前記本体の内面側に前記ホースを支持した状態に固定する固定部材が設けられていることとしてもよい。
【００２０】
本発明のホース支持装置によれば、固定部材により、本体の内面側にホースを支持した状態に固定することができるので、ホースが本体から脱落するのを防止できる。
【発明の効果】
【００２１】
以上、説明したように、本発明のホース支持装置によれば、開口の内外に亘るように本体を設け、本体によってホースの開口の通過部分を支持することにより、ホースが開口の角に当って折れ曲がるのを防止できる。従って、例えば、開口の内部からポンプによって水を汲み上げ、開口の外部に排水させるような場合に、ホースの開口を通過する部分が開口の角に当って折れ曲がって潰れるようなことはなく、ポンプの本来の性能を発揮することができ、効率良く排水することができる。
【図面の簡単な説明】
【００２２】
【図１】本発明によるホース支持装置の一実施の形態を示した概略図である。
【図２】図１の部分拡大図である。
【図３】図１の高さ調整部材の拡大図である。
【発明を実施するための形態】
【００２３】
以下、図面を参照しながら本発明の実施の形態について説明する。
図１〜図３には、本発明によるホース支持装置の一実施の形態が示されている。本発明のホース支持装置１は、開口を屈曲した状態で通過する柔軟性を有するホースを支持するのに有効なものであって、本実施の形態においては、排水対象箇所２１に溜まった水３０をポンプ２５で汲み上げて地上２８に排水させる際に使用される排水ホース２７の支持に適用している。
【００２４】
排水対象箇所２１は、例えば、共同溝２１であって、地上２８に連通する円形断面のマンホール２２を有し、マンホール２２を通じて共同溝２１の内部に水中ポンプ２５が設置され、水中ポンプ２５の吐出口２６に柔軟性を有する材料（塩化ビニル等）からなる排水ホース２７が接続される。排水ホース２７は、共同溝２１の内部からマンホール２２を通じて鉛直方向上方に引き上げられ、マンホール２２の開口２２ａを通じて地上２８に引き出される。
【００２５】
マンホール２２の開口２２ａには、マンホール蓋を着脱させるための蓋枠２３が設けられ、この蓋枠２３を利用してマンホール２２の開口２２ａに本実施の形態のホース支持装置１が取り付けられる。
【００２６】
本実施の形態のホース支持装置１は、図１に示すように、排水ホース２７を支持する湾曲変形可能な半管状の本体２と、本体２をマンホール２２の開口２２ａの蓋枠２３に取り付ける取付金具５と、本体２に排水ホース２７を固定する固定部材１３と、本体２の地上２８からの高さを調整する高さ調整部材１５と、本体２の湾曲角度を調整する湾曲角度調整部材２０とから構成されている。
【００２７】
本体２は、例えば、合成樹脂製（高密度ポリエチレン等）の蛇腹管を材料とし、この蛇腹管を軸線方向に半分に切断することにより半管状に形成したものであって、マンホール２２の内外に亘って設けられるように、地上２８とマンホール２２の内部との間に所定の角度に湾曲された状態で配置され、この本体２の内面３側で排水ホース２７が支持される。本体２には、排水ホース２７に通水した状態で、湾曲させた状態に形状保持可能な強度のものが使用される。
【００２８】
本体２は、湾曲された状態で一端がマンホール２２の内部に所定の長さ挿入され、他端が地上２８に所定の長さ引き出されるように、全長が設定されている。本実施の形態においては、本体２の一端がマンホール２２の内部に約１ｍ挿入され、他端が地上２８に約１ｍ引き出されるように、本体２の全長が設定されている。なお、本体２の全長は、マンホール２２の大きさ、形状、地上２８の状態等に応じて、適宜の長さに設置することができる。
【００２９】
本体２は、排水ホース２７に通水した状態で、排水ホース２７の外面が本体２の内面３に密着するように、或いは、排水ホース２７の外面と本体２の内面３との間に僅かな隙間が形成されるように、内径が設定されている。これにより、排水ホース２７に通水した際に、排水ホース２７が本体２の内面３側で暴れるのを防止することができ、排水ホース２７を安定して支持することができる。
【００３０】
本体２は、蛇腹管に限らず、湾曲変形可能な可撓性を有する材料（例えば、各種の合成樹脂、合成ゴム等）からなる管部材を用い、この管部材を軸線方向に半分に切断することにより半管状に形成してもよいし、その他の可撓性を有する材料で半管状に形成してもよい。
【００３１】
取付金具５は、例えば、上板７と下板８と側板９とからなるコ形状の取付部６と、取付部６の上板７に下端部が連結される支持軸１０と、取付部６の上板７を貫通する固定ねじ１１とを備えたものであって、支持軸１０の上端部を本体２に設けられた貫通孔内を貫通させて、支持軸１０の上端部を本体２にナット(図示せず)で固定することにより本体２に取付けられる。
【００３２】
取付金具５は、取付部６の上板７と下板８との間でマンホール２２の開口２２ａの蓋枠２３を挟み、この状態で、固定ねじ１１を締め付け、下板８と固定ねじ１１の先端との間で蓋枠２３を挟持することにより蓋枠２３に取付けられ、取付金具５を介して本体２がマンホール２２の蓋枠２３に取付けられる。
【００３３】
固定部材１３は、半環状のバンド部１４と、バンド部１４の一端を本体２の開口部の一端側に回動自在に連結する蝶番（図示せず）と、バンド部１４の他端を本体２開口部の他端側に固定するロック金具（図示せず）とから構成されている。
【００３４】
固定部材１３は、本体２の両端部及び中央部の３箇所に設けられ、本体２の内面３で排水ホース２７を支持した状態で、各固定部材１３のバンド部１４で本体２の開口部を閉じ、バンド部１４の他端を本体２の開口部の他端側にロック金具でロックすることにより、本体２の内面３側に排水ホース２７を支持状態に固定することができる。
【００３５】
高さ調整部材１５は、本体２の他端に取付けられるものであって、例えば、支持台１６と、支持台１６の中央部に取付けられる支持軸１７と、支持軸１７の上端に連結されるＵ字金具１８とから構成されている。支持軸１７は、支持台１６の上面からの突出長さが調整可能に構成され、支持軸の支持台１６からの突出長さを調整することにより、本体２の他端の高さを調整することができる。
なお、高さ調整部材１５は、上記の構成のものに限らず、本体２の他端を支持した状態で、本体２の他端を上昇又は下降させることができる機能を有するものであればよい。また、本体２の他端を湾曲させることにより、本体２の他端の地上２８からの高さを調整するように構成してもよい。
【００３６】
湾曲角度調整部材２０は、例えば、紐状部材であって、本体２の内面３に排水ホース２７を支持した状態で、一端を本体２の一端の周囲（排水ホース２７を含む周囲）に結び付け、長さを調整した上で他端をマンホール２２の内面側の手摺２４に結び付けることにより、本体２の湾曲角度を調整することができる。
なお、湾曲角度調整部材２０は、紐状部材に限らず、長さが調整可能なバンド等であってもよい。
【００３７】
そして、上記のように構成した本実施の形態のホース支持装置１の取付金具５をマンホール２２の開口２２ａの蓋枠２３に取り付け、本体２を所定の角度に湾曲させて、本体２の一端をマンホール２２の内部に挿入し、他端を地上２８に引き出す。
【００３８】
そして、共同溝２１の内部に水中ポンプ２５を設置し、水中ポンプ２５の吐出口２６に接続した排水ホース２７をマンホール２２を通じて鉛直方向に引き上げ、ホース支持装置１の本体２の内面３を沿わせて地上２８に引き出す。さらに、固定部材１３のバンド部１４で本体２の開口部を閉じ、排水ホース２７を本体２の内面３に沿わせた状態に固定する。
【００３９】
そして、湾曲角度調整部材２０の一端を本体２の一端の周囲に結び付け、長さを調整した状態で他端をマンホール２２の手摺２４に結び付けることにより、本体２の湾曲角度を調整する。さらに、本体２の他端を高さ調整部材１５で地上２８に支持し、高さ調整部材１５の支持軸１７の支持体１６からの突出長さを調整することにより、本体２の他端の地上２８からの高さを調整する。
【００４０】
そして、水中ポンプ２５を作動させて、共同溝２１内に溜っている水３０を地上２８に汲み上げることにより、共同溝２１の内部に溜まった水３０を排水ホース２７を通じて地上２８に排水させることができる。
【００４１】
上記のように構成した本実施の形態のホース支持装置１にあっては、マンホール２２の開口２２ａの蓋枠２３にホース支持装置１を取り付け、ホース支持装置１の所定の角度に湾曲させた本体２の内面３で排水ホース２７を支持するように構成したので、排水ホース２７がマンホール２２の開口２２ａの蓋枠２３の角に当って、その部分から約９０度に折れ曲がるようなことはなく、折れ曲がった部分が水３０の重さによって潰れるようなことはない。
【００４２】
従って、水中ポンプ２５本来の性能の吐出量（排水量）が得られるので、共同溝２１の内部に溜った水３０を効率良く排水することができる。また、排水ホース２７が折れ曲がって潰れるようなことがないので、水中ポンプ２５に過大な負荷がかかるようなことはなく、水中ポンプ２５の故障を減らすことができる。
【００４３】
さらに、排水ホース２７がマンホール２２の開口２２ａの蓋枠２３の角に直接に接触することがないので、排水ホース２７に傷が付くのを防止でき、排水ホース２７の耐久性を向上させることができる。
【００４４】
さらに、本体２の一端には、本体２の湾曲角度を調整する湾曲角度調整部材２０が設けられ、他端には、本体２の地上２８からの高さを調整する高さ調整部材１５が設けられているので、マンホール２２の大きさ、形状、地上２８の状態等に応じて、本体２の湾曲角度、及び本体２の地上２８からの高さを調整できる。
【００４５】
従って、様々な大きさ、形状のマンホール２２を通じての排水作業に適用できるとともに、地上２８に段差があるような場合であっても、段差によって排水ホース２７が折れ曲がるようなことはなく、排水ホース２７を通じて効率良く排水させることができる。
【００４６】
さらに、排水ホース２７の途中に折れ曲がって潰れている箇所がないので、排水ホース２７の先端が振れるようなことはなく、排水ホース２８から排出させた水３０が周囲に飛散するようなことはない。
【００４７】
さらに、取付金具５のナットを緩めることにより、支持軸１０を中心として本体２を回転させることができるので、本体２を回転させることにより、本体２と一体に排水ホース２７を様々な方向に向けることができる。
【００４８】
なお、前記の説明においては、排水対象箇所を共同溝２１としたが、共同溝２１に限らず、各種の排水箇所に本発明を適用してもよい。また、前記の説明においては、柔軟性を有する排水ホース２７を使用しての排水作業に本発明を適用したが、柔軟性を有する給水ホースを使用しての給水作業や、柔軟性を有するホースを使用して水を移動させる作業の他、柔軟性を有するホースを使用して、各種の液体や固形物を含む液体を移動させる作業に本発明を適用してもよい。
【符号の説明】
【００４９】
１  ホース支持装置
２  本体
３  内面
５  取付金具
６  取付部
７  上板
８  下板
９  側板
１０  支持軸
１１  固定ねじ
１３  固定部材
１４  バンド部
１５  高さ調整部材
１６  支持台
１７  支持軸
１８  Ｕ字金具
２０  湾曲角度調整部材
２１  共同溝
２２  マンホール
２２ａ  開口
２３  蓋枠
２４  手摺
２５  水中ポンプ
２６  吐出口
２７  排水ホース
２８  地上
３０  水
【図１】
2013151966.tif 000003
【図２】
2013151966.tif 000004
【図３】
2013151966.tif 000005